(57)【要約】【課題】鼻腔を拡げて鼻での呼吸を効率的に行いつつ、その呼吸と共に身体に有用な効果をもたらす香りを効率的に活用できる、肉体面と精神面の両面へ作用する鼻腔拡張器具を提供する。【解決手段】鼻腔拡張器具１は、上辺１１と下辺１３と左右の横辺１６からなる横長形状を有した鼻腔拡張器具１であって、上辺１１には上辺凹部１２と、上辺１１の両端に設けられた左右の大凸部１９を設け、下辺１３には下辺凹部１４と、下辺１３の両端に設けられた左右の下辺膨らみ部１５と小凸部１８を設け、左右の横辺１６には横辺凹部１７を設け、粘着層５、表面シート層８、香料層１０の積層からなる表面部７と、皮膚貼着層３、内面シート層４、粘着層５の積層からなる内面部２と、表面部７と内面部２の間に設けた芯部６の積層からなるものとした。【選択図】図１
2019122503.tif 000002
【特許請求の範囲】
【請求項１】
上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、粘着層、表面シート層、香料層の積層からなる表面部と、皮膚貼着層、内面シート層、粘着層の積層からなる内面部と、表面部と内面部の間に設けた芯部の積層からなることを特徴とする鼻腔拡張器具。
【請求項２】
上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、粘着層、表面シート層、着色料層、香料層の積層からなる表面部と、皮膚貼着層、内面シート層、粘着層の積層からなる内面部と、表面部と内面部の間に設けた芯部の積層からなることを特徴とする鼻腔拡張器具。
【請求項３】
前記香料層は、ミント系香料からなる請求項１または請求項２に記載の鼻腔拡張器具。
【請求項４】
前記香料層は、シトラス系香料からなる請求項１または請求項２に記載の鼻腔拡張器具
【請求項５】
前記香料層は、香料を付着した１番目の金属製ローラーの香料を２番目の金属製ローラーに転写し、２番目の金属製ローラーから３番目のタオルを巻いた金属製ローラーへと香料を転写し、３番目のローラーから４番目のタオルを巻いた金属製ローラーへと香料を転写して、４番目のタオルを巻いた金属製ローラーから表面シート層に香料を転写することにより形成した、請求項１乃至請求項４のいずれかに記載の鼻腔拡張器具。
【請求項６】
前記着色料層は、着色料を付着した金属製ローラーで転写された表面シート層へ転写することにより形成した、請求項１乃至請求項５のいずれかに記載の鼻腔拡張器具。
【請求項７】
上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、粘着層、表面シート層、香料層の積層からなる表面部と、皮膚貼着層、内面シート層、粘着層の積層からなる内面部と、表面部と内面部の間に設けた芯部の積層からなることを特徴とする鼻腔拡張器具の製造方法。
【請求項８】
上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、粘着層、表面シート層、着色料層、香料層の積層からなる表面部と、皮膚貼着層、内面シート層、粘着層の積層からなる内面部と、表面部と内面部の間に設けた芯部の積層からなることを特徴とする鼻腔拡張器具の製造方法。
【請求項９】
前記香料層は、ミント系香料またはシトラス系香料からなる香料を付着した１番目の金属製ローラーの香料を２番目の金属製ローラーに転写し、２番目の金属製ローラーから３番目のタオルを巻いた金属製ローラーへと該香料を転写し、３番目のローラーから４番目のタオルを巻いた金属製ローラーへと香料を転写して、４番目のタオルを巻いた金属製ローラーから表面シート層に該香料を転写することにより形成した、請求項７または請求項８に記載の鼻腔拡張器具の製造方法。
【請求項１０】
前記着色料層は、着色料を付着した金属製ローラーで転写された表面シート層へ転写することにより形成した、請求項７乃至請求項９のいずれかに記載の鼻腔拡張器具の製造方法。
【発明の詳細な説明】
【技術分野】
【０００１】
本発明は、鼻腔拡張器具に関するものである。
【背景技術】
【０００２】
近年、健康増進、リフレッシュ等の目的で、ジョギング、ランニング、サイクリング、エアロビクスダンス、ＳＴＥＰエクササイズ、水泳、アクアビクス等有酸素運動を愛好する人々が増加しており、運動の効率を上げるためには、効率の良い呼吸が重要となる。
【０００３】
呼吸は、体に酸素を取り込み、体に必要なエネルギーを分解、吸収し、その過程で作られた不必要な二酸化炭素を排出するガス交換の役割を果たす。
【０００４】
したがって、効率の良い呼吸により、脳、内臓、筋肉などの組織で必要な酸素を十分供給して、肉体面と精神面の両面の能力を十分に発揮することができる。
【０００５】
下記特許文献１では、図４から図７に示すように、鼻孔を拡げて鼻での呼吸を楽にさせるいびき防止器具４１を開示する。具体的にいびき防止器具４１は、いびき防止器具４１の一端に形成されている２つの突起４４の粘着層４６を片側の鼻かくに接触させ、指で突起４４を表面から鼻かくに軽く押さえつければ、粘着層４６の粘着力によって鼻かくに付着させ装着することができる。ついで、いびき防止器具４１を撓ませながら、他端の突起４４の粘着層４６をもう片側の鼻かくに接触させて、同様に、指で突起４４を表面から鼻かくに押さえつければ、粘着層４６の粘着力によって鼻かくに付着させることができる。そして、いびき防止器具４１を押さえている指をいびき防止器具４１から離せば、いびき防止器具４１の芯材４５の反発力によって、鼻孔は外側に向けて拡げられる。
【０００６】
このように、いびき防止器具４１は、指でシート４２、４３の両端部を押さえつけるだけで簡単に装着することができ、鼻かくの両側が芯材４５の弾性によって引っ張られることによって、鼻孔が拡げられ、鼻での呼吸を楽にさせるので安眠を妨害することなく、いびきを防止することができるものである。
【０００７】
下記特許文献２では、図８から図１２に示すように、患者の呼吸を楽にする拡張器に関するものであり、特に患者に薬剤を与えつつ鼻孔の外壁組織が呼吸中に収縮するのを防止するための薬用鼻腔拡張器を開示する。
【０００８】
具体的には、鼻腔拡張器５０は１対の長手方向に延びた側部と、１対の交差する方向の端部と、上面および底面とを有する基板５３を具備している。基板５３の底面には、装着者の皮膚に容易に貼付けることができるように接着剤（粘着剤）層５４が形成（塗布）されている。また基板５３には、この拡張器を鼻に接着して装着したときに鼻腔の壁組織に対して緩やかな拡張力を与える弾性部材５７が設けられている。最後に、拡張器の一部には呼吸中に装着者の鼻を通して吸入される芳香性薬剤６１が配置されている。このように鼻腔拡張器５０は、接着力で装着された鼻腔拡張器５０のスプリング作用と吸入される芳香性薬剤６１とを組み合わせたものである。
【０００９】
鼻腔拡張器５０を装着することにより、呼吸中に鼻の鼻腔壁組織が収縮するのを実質的に防止し、芳香性薬剤６１を含む蒸気やガスのような鼻を通して吸引することによって消費され呼吸をより一層楽にするか良くするのを助けることができ、競技中により多くの酸素を要求する運動選手を助けるのに有用である。
【先行技術文献】
【特許文献】
【００１０】
【特許文献１】登録実用新案第３０２４９７７号公報（いびき防止器具）
【特許文献２】特表２００１−５１１０３２号公報（外装形薬用鼻腔拡張器）
【発明の概要】
【発明が解決しようとする課題】
【００１１】
ここで、近年、アロマテラピーやアロマコロジー等、気軽に香りを生活に取り込む需要者が増加しており、香りが身体に与える効果への期待が高まっている。
【００１２】
しかし、特許文献１の発明は、鼻孔を拡げて鼻での呼吸を楽にさせるものであり、特許文献２の発明は、鼻腔壁組織が収縮するのを芳香性薬剤６１により呼吸をより一層楽にするか良くすることができるにとどまる。
【００１３】
本発明の目的は、前記従来例の不都合を解消し、鼻腔を拡げて鼻での呼吸を効率的に行いつつ、その呼吸と共に身体に有用な効果をもたらす香りを効率的に活用できる、肉体面と精神面の両面へ作用する鼻腔拡張器具を提供することにある。
【課題を解決するための手段】
【００１４】
前記目的を達成するため請求項１記載の本発明は、上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、表面シート層、香料層、粘着層の積層からなる表面部と、皮膚貼着層、内面シート層、粘着層の積層からなる内面部と、表面部と内面部の間に設けた芯部の積層からなることを特徴とする鼻腔拡張器具を要旨とするものである。
【００１５】
請求項２記載の本発明は、上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、表面シート層、着色料層、香料層、粘着層の積層からなる表面部と、皮膚貼着層、内面シート層、粘着層の積層からなる内面部と、表面部と内面部の間に設けた芯部の積層からなることを特徴とする鼻腔拡張器具を要旨とするものである。
【００１６】
請求項３記載の本発明は、香料層は、ミント系香料からなる鼻腔拡張器具を要旨とするものである。
【００１７】
請求項４記載の本発明は、香料層は、シトラス系香料からなる鼻腔拡張器具を要旨とするものである。
【００１８】
請求項５記載の本発明は、香料層は、香料を付着した１番目の金属製ローラーの香料を２番目の金属製ローラーに転写し、２番目の金属製ローラーから３番目のタオルを巻いた金属製ローラーへと香料を転写し、３番目のローラーから４番目のタオルを巻いた金属製ローラーへと香料を転写して、４番目のタオルを巻いた金属製ローラーから表面シート層に香料を転写することにより形成した鼻腔拡張器具を要旨とするものである。
【００１９】
請求項６記載の本発明は、着色料層は、着色料を付着した金属製ローラーで転写された表面シート層へ転写することにより形成した鼻腔拡張器具を要旨とするものである。
【００２０】
請求項７記載の本発明は、上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、粘着層、表面シート層、香料層の積層からなる表面部と、皮膚貼着層、内面シート層、粘着層の積層からなる内面部と、表面部と内面部の間に設けた芯部の積層からなる鼻腔拡張器具の製造方法を要旨とするものである。
【００２１】
請求項８記載の本発明は、上辺と下辺と左右の横辺からなる横長形状を有した鼻腔拡張器具であって、上辺には上辺凹部と、上辺の両端に設けられた左右の大凸部を設け、下辺には下辺凹部と、下辺の両端に設けられた左右の下辺膨らみ部と小凸部を設け、左右の横辺には横辺凹部を設け、粘着層、表面シート層、着色料層、香料層の積層からなる表面部と、皮膚貼着層、内面シート層、粘着層の積層からなる内面部と、表面部と内面部の間に設けた芯部の積層からなる鼻腔拡張器具の製造方法を要旨とするものである。
【００２２】
請求項９記載の本発明は、香料層は、ミント系香料またはシトラス系香料からなる香料を付着した１番目の金属製ローラーの香料を２番目の金属製ローラーに転写し、２番目の金属製ローラーから３番目のタオルを巻いた金属製ローラーへと該香料を転写し、３番目のローラーから４番目のタオルを巻いた金属製ローラーへと香料を転写して、４番目のタオルを巻いた金属製ローラーから表面シート層に該香料を転写することにより形成した鼻腔拡張器具の製造方法を要旨とするものである。
【００２３】
請求項１０記載の本発明は、着色料層は、着色料を付着した金属製ローラーで転写された表面シート層へ転写することにより形成した鼻腔拡張器具の製造方法を要旨とするものである。
【発明の効果】
【００２４】
以上述べたように本発明は、鼻腔を拡げて鼻での呼吸を効率的に行いつつ、その呼吸と共に身体に有用な効果をもたらす香りを効率的に活用できる、肉体面と精神面の両面へ作用する鼻腔拡張器具を提供できる。
【図面の簡単な説明】
【００２５】
【図１】本発明の香りつき鼻腔拡張器具の１実施形態を示す平面図である。
【図２】本発明の香りつき鼻腔拡張器具の１実施形態の積層状態を示す説明図である。
【図３】本発明の香りつき鼻腔拡張器具の１実施形態の積層状態を示す説明図である。
【図４】従来例を示す斜視図である。
【図５】従来例を示す平面図である。
【図６】従来例を示す断面図である。
【図７】従来例を示す使用説明図である。
【図８】従来例を示す使用説明図である。
【図９】従来例を示す説明図である。
【図１０】従来例を示す分解断面図である。
【図１１】従来例を示す平面図である。
【図１２】従来例を示す平面図である。
【発明を実施するための形態】
【００２６】
以下本発明を実施するための形態について説明するが、本発明はこれに限定されたものでないことは、言うまでもない。
【００２７】
下記実証に関して統計学にもとづく統計手法を使用した。方法、用語について詳細に記す。
【００２８】
各値（例えば、下記種目における結果の差）の有意性を検証するため、測定値の平均値からｐ値を算出した。ｐ値の算出には、統計分析ソフト「Ｒ」を使用した。
【００２９】
散布図は、２変量データに対するグラフ表現の１つで、データは直線上に分布しているか、曲線上か、相関の強さ、外れ値の有無、クラスタリングの状況、散布密度を示す。
【００３０】
ｐ値は、統計的仮説検定において、帰無仮説の元で検定統計量がその値となる確率のことであり、ｐ値が小さいほど、検定統計量がその値となることはあまり起こりえないことを意味する。一般的にｐ値が５％または１％以下の場合に帰無仮説を偽として棄却し、対立仮説を採択する。
【００３１】
「ＰＯＭＳ２短縮版のアンケート」は、実験的研究におけるリラクゼーション効果の判定や疲労感の測定、気分変化の把握ができる国際規格の信頼性の高いものとして採用した。
【００３２】
ＴＭＤ（ＴｏｔａｌＭｏｏｄＤｉｓｔｕｒｂａｎｃｅ  総合的気分状態）得点は、〔怒り−敵意〕＋〔混乱−当惑〕＋〔抑うつ−落込み〕＋〔疲労−無気力〕＋〔緊張−不安〕−〔活気−活力〕の合成得点である。ＴＭＤ得点が高得点である場合、ネガテイブな感情を強く感じていることを表す。
【００３３】
Ｒ−２乗（アールジジョウ）は、決定係数と呼ばれ、独立変数（設定条件）と従属変数（観測データ）の関係を見たとき、設定した条件が決定（説明）している程度を表し、値が１に近いほど決定率が高い。
【００３４】
下記表７から表１４は、被験者の気分状態に関するアンケートの結果の差と、基礎的な運動における測定結果の差との相関性を示すために、統計解析ソフトを用いて作成した散布図であり、表中の点は各被験者のデータを表し、表中の直線は回帰直線を表す。ここで述べる結果の差とは「香りあり時」の結果から「香りなし時」の結果を差し引いていることを示す。以後、結果の差と記す。
【００３５】
下記表７から表１４の相関図は、前記「Ｒ」を用いて作成したものであり、表中の点は平均値をプロットしたものであり、表中の直線は縦軸と横軸の項目の相関を表し、直線の傾きの角度が大きいほど変化率が大きいことを示す。
【００３６】
下記表７、表８の相関図中、縦軸はＴＭＤ得点差引の値を表し、横軸はストループテスト、片脚立位、座位体前屈、フリッカー、エアロバイク（登録商標、以下表記省略）の測定結果の差を表す。
【００３７】
下記表９から表１４の相関図中、縦軸は被験者の気分状態に関するアンケートの結果の差を表し、横軸はストループテスト、片脚立位、座位体前屈、フリッカー、エアロバイクの結果の差を表す。
【００３８】
独自のビジュアル・アナログ・スケール（ｖｉｓｕａｌ  ａｎａｌｏｇｕｅ  ｓｃａｌｅ：以下ＶＡＳと記載する。）を作成して、アンケートを実施した。ＶＡＳアンケートの質問内容２０項目は、下記表５のとおり、種目の測定に対する実感に関する項目を５項目（表８中１から５）、心理学で使用されることの多い『知・情・意』に関するものを１０項目（表８中６から１５）、使用感や香りの好みに関する項目を５項目（表８中１６から２０）、と設定した。具体的には、１集中力（ストループ）、２バランス（片足立ち）、３柔軟性（長座体前屈）、４持久力（エアロバイク）、５覚醒度（フリッカー）、６緊張感、７リラックス、８判断力、９自信、１０心の余裕、１１やる気、１２人とのコミュニケーション、１３呼吸、１４優しさ、１５明るさ、１６香り、１７香りの強さ、１８香りの心地よさ、１９テープの粘着力、２０鼻の通り具合、である。
【００３９】
１．鼻腔拡張器具
香りが身体に与える効果を効率的に得るための、肉体面と精神面の両面へ作用する方法として、鼻腔を拡張することにより呼吸を促し、日常生活や運動時、睡眠時に、邪魔にならずに無意識に効率的に香りを吸引できる、本発明の香料層を設けた鼻腔拡張器具１を使用することとした。
【００４０】
（１）形状・構成
本発明の鼻腔拡張器具１は、鼻中隔をまたぐように鼻軟骨の上面の皮膚に貼着して使用する横長形状のものである。
【００４１】
鼻腔拡張器具１は１実施形態として、図１に示すのとおり、上辺１１、下辺１３、左右の横辺１６からなる横長形状であり、上辺１１には、上辺凹部１２と、上辺１１の両端に設けられた左右の大凸部１９を、下辺１３には、下辺凹部１４、下辺１３の両端に設けられた左右の下辺膨らみ部１５と小凸部１８を、左右の横辺１６には、横辺凹部１７を設けた。
【００４２】
鼻腔拡張器具１は、図２、３に示すのとおり３層構造からなり、皮膚に近い面から、内面部２、芯部６、表面部７の順に重なる。
【００４３】
内面部２は皮膚に近い面から、皮膚貼着層３、内面シート層４、粘着層５の順で積層する。
【００４４】
表面部７は、皮膚に近い面から、粘着層５、表面シート層８、香料層１０の順で積層する。鼻腔拡張器具１に彩色する場合は、皮膚に近い面から、粘着層５、表面シート層８、着色料層９、香料層１０の順で積層する。
【００４５】
図示は省略するが、皮膚貼着層３に剥離シートを貼付してもよい。
【００４６】
鼻腔拡張器具１の最適な大きさは、使用者により異なり様々な大きさがあるが、実施例として、上辺１１または下辺１３の最大長が５０ミリから７０ミリ、横辺１６の最大長が１６ミリから２０ミリが好ましい。
【００４７】
（２）材質
鼻腔拡張器具１の内面部２の内面シート層４、表面部７の表面シート層８の材質は、鼻中隔をまたいで鼻軟骨の上面の皮膚に沿い、芯部６を保持する材質のものであればよい。具体例として、紙、布、不織布がある。
【００４８】
不織布は、「繊維シート，ウェブ又はバットで，繊維が一方向又はランダムに配向しており，交絡，及び／又は融着，及び／又は接着によって繊維間が結合されたもの（ＪＩＳ  Ｌ  ０２２２）」である。
【００４９】
不織布を構成する繊維には様々あるが、ポリウレタン、ポリエステル、ポリプロピレンやポリエチレン、パルプ等からなるものがある。表面シート層８にはポリプロピレンやポリエチレン等のポリオレフィン、内面シート層４にはパルプからなるものが好ましい。
【００５０】
表面シート層８の不織布の厚みは、５０ｇ／ｍ２以上７０ｇ／ｍ２未満であるものが好ましい。
【００５１】
内面シート層４の不織布の厚みは、３００マイクロメートルから３５０マイクロメートルであるものが好ましい。
【００５２】
芯部６の材質は、プラスチック製の柔軟性と穏やかな反発性を備えたものが好ましい。具体的には、ＰＥＴ素材で、厚みが、１５０マイクロメートルから２５０マイクロメートルものであって、幅は３ミリから７ミリが好ましい。さらに芯部６の材質およびサイズは、ＰＥＴ素材で、厚みが、１８０マイクロメートルから２００マイクロメートルものであって、幅は４ミリから６ミリが好ましい。
【００５３】
内面部２の、皮膚貼着層３、粘着層５は、アクリル系の軟らかい粘着剤からなる層とした。
【００５４】
（３）製造方法
香料層１０は、表面シート層８の不織布に香料のついたローラーで転写をすることにより構成する。具体的には、香料を入れた容器にまず１番目のローラーを浸し、１番目の金属製のローラーの香料を、２番目のローラーに転写し、２番目のローラーから３番目のローラーへと香料を転写し、３番目のローラーから４番目のタオルを巻いた金属製ローラーへと香料を転写して、４番目のローラーから表面シート層８の不織布に香料を転写する方法が好ましい。ローラーは金属製であるが、３番目と４番目のローラーにはタオルを巻く。容器中の香料が一定量以下になると香料が自動的に補充される。
【００５５】
着色料層９を設ける場合は、表面シート層８の不織布に着色料を金属製ローラーで転写して、着色料層９を構成した後、着色料層９の上面に、香料層１０を前記のとおり構成する。
【００５６】
（４）効果
鼻腔拡張器具１は、図１に示す、上辺１１、下辺１３、左右の横辺１６からなる横長形状とし、左右の横辺１６には、横辺凹部１７を備える形状とすることにより、鼻中隔をまたいで鼻軟骨の上面の皮膚に鼻腔拡張器具１を貼着して装着後、芯部６の両端が鼻やその周辺の顔面の皮膚へあたる刺激を最小限にしつつ、皮膚貼着層３が皮膚に貼着する面積を広げて、鼻腔拡張器具１が確実かつ安定的に、鼻軟骨の上面の皮膚を引き上げるとともに、鼻腔を拡張し、鼻呼吸を効率的に行うことを助ける。
【００５７】
鼻腔拡張器具１の上辺１１に、上辺凹部１２と、上辺１１の両端に設けられた左右の大凸部１９を、下辺１３に、下辺凹部１４、下辺１３の両端に設けられた左右の下辺膨らみ部１５と小凸部１８を設けたことにより、鼻や鼻の周りの皮膚の動きに鼻腔拡張器具１がフィットして、剥がれにくく、鼻への装着が好ましい状態となる。
【００５８】
内面シート層４、表面シート層８を、ポリエチレン、ポリプロピレン等のポリオレフィンからなる繊維から作成された不織布とすることにより、加水分解しにくく、耐薬品性に優れるため、鼻腔拡張器具１の劣化を防ぐことができる。
【００５９】
芯部６の材質およびサイズを、ＰＥＴ素材で厚みが１５０マイクロメートルから２５０マイクロメートル、幅は３ミリから７ミリ、とすることにより、鼻腔拡張器具１が柔軟性と穏やかな反発性を有して、鼻中隔をまたいで鼻軟骨の上面の皮膚を引っ張り上げて、鼻腔を拡張し、鼻呼吸を効率的に行うことができる。
【００６０】
香料層１０は、香料のついたローラーを１番目、２番目、３番目、４番目のローラーヘと転写した後に表面シート層８の不織布に転写をすることで、均一で過不足のない香料層１０を構成することができる。３番目と４番目のローラーにタオルを巻くことで、表面シート層８の不織布にさらに均等に香料を転写できる。
【００６１】
２．香料
（１）香料の選定
本発明の目的である、効率的に肉体面と精神面の両面へ作用して身体に有用な効果をもたらす香りは、様々な場面により異なるが、その中でも特にスポーツ時に必要な集中や覚醒、リラックスなどの機能性をもった香料を選定することとした。
【００６２】
天然香料には多種多様の原料由来のものが存在するが、植物原料からなる香料の分類は、その原料植物の使用部位で分類され、ローズ、ジャスミン、キンモクセイ等の花由来、カシス等の花蕾由来、ペパーミント、スペアミント、シソ、ローズマリー、セージ等の全草由来、ローレル、ウインターグリーン、ユーカリ等の葉由来、シンナモン、キハダ等の樹皮由来、ジンジャー、ターメリック等の根茎由来、オレンジ、レモン、ライム、グレープフルーツ、バニラ等の果実由来、ナツメグ、ビターアーモンド、マスタード等の種子由来があり、それらを使用用途やイメージに合わせて調合した調合香料がある。
【００６３】
ここで、人間が香りをかぐことにより心地よく感じる香りとして、グレープフルーツ、オレンジ、レモン等のシトラス系、メントール等を含んだミント系、洗い立てのタオルのような香りのリネン系、リラックス系、シャボン系、ハーブの香りのハーバル系、緑、森林の中にいるような香り、空気、自然、光を感じるような香りがある。
【００６４】
香料を選定するにあたって「スポーツ」、「リラックス」、「集中」というテーマのいずれかに合う香料を集めた。そして、その中から明らかに一般消費者の嗜好性から外れていると感じるものを除外し２７点にしぼった。
【００６５】
更に評価メンバーの数を増やし、嗜好性が良くない香りを除外し１５点に選定した。嗜好性が良くない香りを除外した理由は、「好きでない」と感じる人が多い香りは被験者のパフォーマンスを下げる可能性があると推定したからである。
【００６６】
次に社内１７人と社外７０人によってアンケート調査をかけ、「最もリラックスする香り」、「最も覚醒する香り」、「最も集中力が増す香り」を官能での評価によって選び出した。
【００６７】
「リラックス」と「集中」のテーマに合う香料として、ミント系香料（以下「ミント」と表記する。）、シトラス系香料（以下「シトラス」と表記する。）、シンリンのイメージの香料（以下「シンリン」と表記する。）を選定し、対比としてスポーツ時の不快臭の代表である足の汗臭の香り（以下「汗臭」と表記する。）を選定した。
【００６８】
香りは賦香した直後と、２４時間経った香りとは、香りのトップノートとラストノートの違いによる効果への影響も異なると推察できるため、鼻腔拡張器具１の香料層１０を設けてから２４時間経った鼻腔拡張器具１を用いて測定を行った。
【００６９】
（２）香りと基礎的な運動における関係性の検証
（２−１  方法）
ミント、シトラス、シンリン、汗臭の４種類香りと、香りなしの鼻腔拡張器具１を鼻に貼った後、種々の基礎的な体力測定を行い、香りが運動に与える効果を検証した。
【００７０】
測定項目として、握力、片脚立位、座位体前屈、全身反応測定、エアロバイク、フリッカー、の６種目である。握力は筋肉の瞬発力、片脚立位はバランス、座位体前屈は柔軟性、全身反応測定は瞬発力、エアロバイクは持久力、フリッカーは覚醒度、を表す。スポーツパフォーマンス測定は、野球などのスポーツにおいて一般的な体力測定として用いられている種目の中から選定した。
【００７１】
香りを嗅ぐ順番による影響を避けるために、下記表１に示すとおり、香りのテスト順を「香りあり→香りなし」と「香りなし→香りあり」とに分けて測定を行った。具体的には、香りテスト順１は「香りなし」、香りテスト順２は「香りあり」の鼻腔拡張器具１を貼ったＡ〜Ｄのグループと香りテスト順１は「香りあり」、香りテスト順２は「香りなし」のＥ〜Ｈグループとに分けて測定を行った。
【００７２】
被験者は、営業・事務職、平均年齢２６．８歳、男性５５名。女性２６名、計８１名である。
【表１】
2019122503.tif 000003
【００７３】
（２−２  結果）
各種目における結果の差の有意性を検証するため、測定値の平均値からｐ値を算出した。表は、それぞれの香りにおける結果の差の平均値とそれらの結果に対する有意性を示した表である。ここで、ｐ値が０．０５以下の場合は有意差があり、下記表２中、有意差のないｐ値の欄をグレー色で示した。
【００７４】
握力は、右手の場合、ｐ値＞０．０５と有意な結果は得られなかったが、左手はどの香りにおいても、握力が下がる結果が出た。
【００７５】
片脚立位では、左足立ちでシンリンの香りを嗅いだ場合を除いて全ての条件で機動性が上がる結果が得られた。
【００７６】
座位体前屈では、シトラスとシンリンの香りにおいて有意な結果が得られ、両方とも機動性が上がった。
【００７７】
全身反応測定では、全ての香りにおいてｐ値＞０．０５と有意な結果が得られなかった。
【００７８】
エアロバイクでは、シトラスとシンリンの香りにおいて有意な結果が得られ、両方とも機動性が上がった。
【００７９】
フリッカーでは、汗臭の時のみｐ値＜０．０５と有意な結果が得られ、機動性が上がった。
【表２】
2019122503.tif 000004
【００８０】
（２−３  結論）
この結果は、４種類の香りが運動機能に対し、それぞれ異なった影響を与えることを示している。
【００８１】
平衡機能や柔軟性のような機能に関しては、嗜好性の高い香りを嗅いだ場合に高い成績が得られた。これより、香りによるリラクゼーション効果によってもたらされることが検証された。
【００８２】
瞬発力を要求される握力や全身反応については、香りの効果はみられなかった。
【００８３】
エアロバイクのように比較的長い時間持続して運動を行う課題の場合も、嗜好性の高い香りで好ましい成績が得られた。中でもミントの香りにおいて良好な成績がみられた。その理由として、ミントの持つ爽快感によって疲労が軽減されたことが推測される。
【００８４】
フリッカーのような覚醒度の指標となる測定については、むしろ汗臭の成績の方が良かった。
【００８５】
これらの結果から、用いた香りは瞬時の反応を求められる運動には効果がないということが立証された。また、リラクゼーション効果のある香りは、覚醒度を高める作用はないことも示唆された。
【００８６】
ミント、シトラスの香りは、下記の表に示す配合割合での調合が好ましい。具体的には表３に表すとおり、ミントの香りは、アルコール類１０．０〜２５．０重量パーセント、アルデヒド類１０．０〜２０．０重量パーセント、エステル類１０．０〜２０．０重量パーセント、ケトン類１０．０〜２０．０重量パーセント、天然精油２５．０〜３５．０重量パーセント、その他１．０〜１０．０重量パーセントである。シトラスの香りは、アルコール類１０．０〜３０．０重量パーセント、アルデヒド類１．０〜１５．０重量パーセント、エステル類２０．０〜５５．０重量パーセント、ケトン類１．０〜１０．０重量パーセント、天然精油１０．０〜３０．０重量パーセント、その他１０．０〜３０．０重量パーセントである。
【表３】
2019122503.tif 000005
【００８７】
アルコール類としては、シトロネロール、ジプロピレングリコール、（Ｒ）−２，６−ジメチル−７−オクテン−２−オール、ゲラニオール、リナロール、メントール、ネロール、テルピネオールを配合することが好ましい。
【００８８】
アルデヒド類としては、オクタナール、デカナール、シトラール、ピペロナール、α−ヘキシルシンナムアルデヒド、３−（４−ｔｅｒｔ−ブチルフェニル）イソブチルアルデヒド、ジメチル−３−シクロヘキセン−１−カルボアルデヒドを配合することが好ましい。
【００８９】
エステル類としては、カプロン酸アリル、シクロヘキサンプロピオン酸アリル、酢酸ベンジル、酢酸１，１−ジメチル−２−フェニルエチル、酢酸エチル、酢酸ゲラニル、ジヒドロジャスモン酸メチル、サリチル酸ヘキシル、サリチル酸イソアミル、酢酸リナリル、エチレンブラシレート、酢酸ネリル、酢酸１−フェニルエチル、安息香酸ベンジルを配合することが好ましい。
【００９０】
ケトン類としては、δーダマスコン、１−（５，５−ジメチル−１−シクロヘキセン−１−イル）−３−メチル−４ペンテン−１−オン、αーイオノン、２−アセチル−２，３，８，８−テトラメチル−１，２，３，４，５，６，７，８−オクタヒドロナフタレン、（Ｚ）−３，４，５，６，６−ペンタメチル−３−ヘプテン−２−オン、ムスクケトン、メチルβ−ナフチルケトン、トナリドを配合することが好ましい。
【００９１】
天然精油としては、ユーカリ油、エレミレジノイド、グレープフルーツ油、レモン油、ライム油、オレンジ油、プチグレン油、スペアミント油を配合することが好ましい。
【００９２】
その他としては、βーピネン、３，７−ジメチル−６−オクテンニトリル、γーテルピネン、Ｄ−リモネン、３，７−ジメチル−２，６−ノナジエンニトリル、ミルセン、パラシメン、テトラヒドロ−２，４−ジメチル−４−フェニルフラン、ローズオキシド、ターピノレンを配合することが好ましい。
【００９３】
３．鼻腔拡張器具の技術を伴う運動における効果検証
（１）方法
実践レベルでの機動性への効果を測定するため、ストループテスト、ストラックアウト、スリーポイントシュート、エアロバイクの種目についてスポーツパフォーマンス測定を行った。
【００９４】
香りを嗅ぐ順番による影響を避けるために、「香りあり→香りなし」のパターンと「香りなし→香りあり」のパターンとに分けて測定を行った。具体的には、香りテスト順１は「香りなし」、香りテスト順２は「香りあり」の鼻腔拡張器具１を貼った１、２のグループと香りテスト順１は「香りあり」、香りテスト順２は「香りなし」の３、４グループとに分けて測定を行った。
【００９５】
グループ１：香りテスト順１「香りなし」→香りテスト順２「ミント」
グループ２：香りテスト順１「香りなし」→香りテスト順２「シトラス」
グループ３：香りテスト順１「ミント」→香りテスト順２「香りなし」
グループ４：香りテスト順１「シトラス」→香りテスト順２「香りなし」
【００９６】
被験者は、体育系大学学生、平均年齢１９．０歳、男性３０名、女性３０名、計６０名である。
【００９７】
（２）結果
表４のとおり、各種目における結果の差（香りあり−香りなし）の平均値とそれぞれの結果の有意確立（ｐ値）を示した。ｐ値が０．０５以下の場合は有意差があり、有意差のないｐ値の欄をグレー色で示した。スポーツパフォーマンス測定では、全ての種目においてｐ値＞０．０５という結果が得られた。
【表４】
2019122503.tif 000006
【００９８】
（３）考察
ストラックアウトで予期した結果が得られたにもかかわらずスリーポイントシュートでは有意な結果が得られなかった理由として、スリーポイントシュートはチャンスエフェクトが大きいため結果にブレが生じやすい種目であることが推測される。チャンスエフェクトとは、個人の能力や技術では補えきれない運による影響のことをいう。
【００９９】
４．鼻腔拡張器具の基礎的な運動における効果検証及び被験者の気分状態と結果の相関性について
（１）方法
前記３．の測定と同様に４グループに分け、賦香後２４時間以上経った鼻腔拡張器具１を用いてスポーツパフォーマンス測定を行った。運動測定項目は、ストループテスト、片脚立位、座位体前屈、エアロバイク、フリッカー、である。
【０１００】
被験者は、運動部に所属する一般大学学生、平均年齢２３．６歳、男性３２名、女性２３名、計５５名である。
【０１０１】
また、被験者に対してＰＯＭＳ２短縮版と独自のＶＡＳアンケートとの２つを用いて測定後の気分状態についても調査した。
【０１０２】
ＰＯＭＳ２短縮版のアンケートで得られたＴＭＤ得点において「香りあり」と「香りなし」の差を求め、それらを「ＴＭＤ得点の差」とした。
【０１０３】
「ＴＭＤ得点の差」と各種目における「香りあり」と「香りなし」の各被験者の結果の差との間に相関性がないかを確かめるために、散布図を作成し、Ｒ−２乗値を算出した。
【０１０４】
ＶＡＳアンケートで得られた値において「香りあり」と「香りなし」の差を求め、それらを「ＶＡＳアンケートの結果の差」とした。
【０１０５】
「ＶＡＳアンケートの結果の差」と各種目における「香りあり」と「香りなし」の各被験者の結果の差との間に相関性がないかを確かめるために、散布図を作成し、Ｒ−２乗値を算出した。
【０１０６】
下記表７から表１４は、被験者の気分状態に関するアンケートの結果の差と、基礎的な運動における測定結果の差との相関性を示すために、統計解析ソフトを用いて作成した散布図であり、表中の点は各被験者のデータを表し、表中の直線は回帰直線を表す。
【０１０７】
ＶＡＳアンケートの質問内容２０項目は、下記表５のとおり、種目の測定に対する実感に関する項目を５項目（表８中１から５）、心理学で使用されることの多い『知・情・意』に関するものを１０項目（表８中６から１５）、使用感や香りの好みに関する項目を５項目（表８中１６から２０）、と設定した。具体的には、１集中力（ストループ）、２バランス（片足立ち）、３柔軟性（長座体前屈）、４持久力（エアロバイク）、５覚醒度（フリッカー）、６緊張感、７リラックス、８判断力、９自信、１０心の余裕、１１やる気、１２人とのコミュニケーション、１３呼吸、１４優しさ、１５明るさ、１６香り、１７香りの強さ、１８香りの心地よさ、１９テープの粘着力、２０鼻の通り具合、である。
【表５】
2019122503.tif 000007
【０１０８】
（２）結果
（２−１  測定結果）
下記表６のとおり、各種目における結果の差（香りあり−香りなし）の有意性を示した。ｐ値が０．０５以下の場合は有意差があり、有意差のないｐ値の欄をグレー色で示した。
【表６】
2019122503.tif 000008
【０１０９】
「香りあり」と「香りなし」の差の平均値において有意性のある結果が得られたのは座位体前屈とエアロバイクの結果のみであった。
ｐ値＜０．０５・・・ストループテスト、片脚立位、フリッカー
ｐ値＞０．０５・・・座位体前屈、エアロバイク
【０１１０】
シトラスの香りにおいて座位体前屈の平均値が約２ｃｍ向上し、ミントの香りにおいてエアロバイク１０分間平均の走行距離が約３３０ｍ向上するという結果が得られた。
【０１１１】
（２−２  ＰＯＭＳ２短縮版アンケートとの相関結果）
ＰＯＭＳ２短縮版のアンケートで得られたＴＭＤ得点の差と各種目における結果の差の相関を立証した。
【０１１２】
下記表７のとおり、ミントの香りは、座位体前屈の結果の差とＴＭＤ得点の差の相関図においてＲ−２乗値＝０．２２（ｐ値＜０．０１２）であり、「かなり弱いが相関がある」という結果が得られた。
【０１１３】
それ以外の種目ではＲ−２乗値＜０．０５と相関は得られなかった。
【表７】
2019122503.tif 000009
【０１１４】
下記表８のとおり、シトラスの香りは、座位体前屈の結果の差とＴＭＤ得点の差の相関図においてＲ−２乗値＝０．３１（ｐ値＜０．０３５）であり、「相関がある」という結果が得られた。それ以外の種目ではＲ−２乗値＜０．２と相関は得られなかった。
【表８】
2019122503.tif 000010
【０１１５】
（２−３−１  ミントの香り  ＶＡＳアンケートとの相関結果）
表９（ＶＡＳアンケート項目１から項目５）、表１０（ＶＡＳアンケート項目６から項目１５）、表１１（ＶＡＳアンケート項目１６から項目２０）に示すとおり、ミントの香りのＶＡＳアンケートとの相関を検討した。
【０１１６】
片脚立位（左）、片脚立位（右）と座位体前屈においてはそれぞれ結果の差と測定後の本人の実感の差との間でＲ−２乗値＞０．３という結果が得られ、「相関がある」ことが立証された。
【０１１７】
具体的には下記のとおりの数値が算出された。
バランス：本人の実感の差と片足立位（右）の結果の差  Ｒ−２乗値＝０．４５  （ｐ値＜０．０００１）
バランス：本人の実感の差と片足立位（左）の結果の差  Ｒ−２乗値＝０．３６  （ｐ値＜０．０００７）
柔軟性：本人の実感の差と座位体前屈の結果の差  Ｒ−２乗値＝０．３８  （ｐ値＜０．０００４）
【０１１８】
それ以外の項目に関してはＲ−２乗値＜０．２となり、相関は得られなかった。
【表９】
2019122503.tif 000011
【表１０】
2019122503.tif 000012
【表１１】
2019122503.tif 000013
【０１１９】
（２−３−２  シトラスの香り  ＶＡＳアンケートとの相関結果）
表１２（ＶＡＳアンケート項目１から項目５）、表１３（ＶＡＳアンケート項目６から項目１５）、表１４（ＶＡＳアンケート項目１６から項目２０）に示すとおり、シトラスの香りのＶＡＳアンケートとの相関を検証した。
【０１２０】
片脚立位（左）、片脚立位（右）、座位体前屈、エアロバイクにおいてはそれぞれ結果の差と測定後の本人の実感の差との間でＲ−２乗値＞０．３という結果が得られ、「相関がある」ことが立証された。
【０１２１】
具体的には下記のとおりの数値が算出された。
バランス：本人の実感の差と片足立位（右）の結果の差  Ｒ−２乗値＝０．５１（ｐ値＜０．０００１）
バランス：本人の実感の差と片足立位（左）の結果の差  Ｒ−２乗値＝０．３６（ｐ値＜０．０００９）
柔軟性：本人の実感の差と座位体前屈の結果の差  Ｒ−２乗値＝０．３２（ｐ値＜０．００１９）
持久力：本人の実感の差とエアロバイクの結果の差  Ｒ−２乗値＝０．３１（ｐ値＜０．００２７）
【０１２２】
それ以外の項目に関してはＲ−２乗値＜０．２となり相関は得られなかった。また、片足立位（左）の結果の差とリラックスしたという本人の実感の差の間との関係はＲ−２乗値＝０．３２（ｐ値＜０．００１８）と「相関がある」ことが立証された。また、リラックスしたと回答した人数は全体の７４％であった。
【表１２】
2019122503.tif 000014
【表１３】
2019122503.tif 000015
【表１４】
2019122503.tif 000016
【０１２３】
（３）考察
シトラスの香りにおいて座位体前屈の平均値が約２ｃｍ向上したことから、シトラスの香りのリラクゼーション効果によって気分が落ち着きその結果、筋肉の緊張が低下したことが立証できた。
【０１２４】
また、ミントの香りにおいてエアロバイク１０分間平均の走行距が約３３０ｍ向上したことから、爽快なミントの香りによって集中力が増し、持久力の向上に結びついたことが立証できた。
【０１２５】
シトラスの香りがリラクゼーション効果をもたらすということに関しては、測定結果だけではなくＰＯＭＳ２短縮版での結果と相関があることからも十分にその効果が期待でき、「香りが精神面へ作用し、そのことが実際の機動性の結果にも結び付く」ということが立証できた。
【０１２６】
５．鼻腔拡張器具が脳の血液量に与える影響について
（１）目的
本発明の鼻腔拡張器具１にミントとシトラスの２種類の香りを用いて、それらを嗅ぎながら脳の血液量を測定し、それぞれの香りがどのように精神に作用するかを調査するべく測定を行うこととした。
【０１２７】
（２）方法
測定項目には、下を向かずに行うことが可能であり、単純で脳をあまり使わない軽作業であることから、測定時の条件を一定にできるストループテストを採用した。
【０１２８】
香りのない空間にてストループテストを３０秒実施、その後鼻腔拡張器具１（香りなし）を装着し、再びストループテストを３分間行う。鼻腔拡張器具１（香りなし）を外し、１分間ストループテストを行う。その後、５分間の休憩を挟み、再び同様の測定を行う。２回目のストループテストでは鼻腔拡張器具１（香りなし）を鼻腔拡張器具１（ミント）に変更した。３回目のストループテストでは鼻腔拡張器具１（ミント）を鼻腔拡張器具１（シトラス）へ変更した。鼻腔拡張器具１（香りなし）、鼻腔拡張器具１（ミント）、鼻腔拡張器具１（シトラス）の順番は被験者ごとにランダムに設定した。ストループテスト、休憩の両方の時間すべてにおいて、ＳＰＥＣＴＲＡＴＥＣＨにて被験者の前頭葉における血液増加量を測定した。前頭葉１６部位における血液増加量と香りの関係の被験者数Ｎ＝８とした。
【０１２９】
ＳＰＥＣＴＲＡＴＥＣＨは、ヘモグロビン変化量を測定できる装置であり、この装置を被験者の頭部に設置し脳内の血液量の変化を測定した。
【０１３０】
被験者は、営業、事務職、平均年齢２４．０歳、男性３名、女性５名、計８名である。
【０１３１】
（３）結果
下記表１５のとおり前頭葉１６部位における血液増加量と香りの関係は、血液量は１６チャネルの装着部位によって異なるが、ミントにおいては最大で４８．１３ｍ（ｍＭｏｌ・ｍｍ）、シトラスは最大で６６．７２（ｍＭｏｌ・ｍｍ）の血液量の増加を観測した。一方で香りなしの場合は、測定前よりも下がる部位もあり、最も下がった部位では血液量が２５．９５（ｍＭｏｌ・ｍｍ）低下するという結果が得られた。
【表１５】
2019122503.tif 000017
【０１３２】
鼻腔拡張器具１を装着後３分間での前頭葉の血液増加量は、下記表１６のとおり、それぞれの血液増加量の平均値は、ミントが２５．５２（ｍＭｏｌ・ｍｍ）、シトラスが２２．２８（ｍＭｏｌ・ｍｍ）、無香は３．７７（ｍＭｏｌ・ｍｍ）という結果が得られた。
【表１６】
2019122503.tif 000018
【０１３３】
下記表１７から表２２は、ＳＰＥＣＴＲＡＴＥＣＨでの前頭葉の血液増加量の測定値を、色で表現したものである。脳を前から見た図であり、向かって左側が右脳をあらわす。ミント、シトラス、無賦香の鼻腔拡張器具１を装着直後の状態を表１７、表１９、表２１に、装着してから約１分後の状態を表１８、表２０、表２２に表す。鼻腔拡張器具１を装着直後は血液量があまり増加していない緑青色を示すが、装着してから約１分後には、ミント、シトラスとも血液量増加し赤色を示した一方で、無賦香の場合は、一部血液量が増加した部分が確認できたが、ミント、シトラスに比べて血液量は増加しなかった。
【表１７】
2019122503.tif 000019
【表１８】
2019122503.tif 000020
【表１９】
2019122503.tif 000021
【表２０】
2019122503.tif 000022
【表２１】
2019122503.tif 000023
【表２２】
2019122503.tif 000024
【０１３４】
６．まとめ
複数の香料の中からリラクゼーション機能と集中の向上という精神面の作用が期待される香料として、シトラス系香料とミント系香料を選定し、「香りあり」と「香りなし」とで機動性に差が出るかを検証したところ、ミントの香りは集中力が向上することで持久力が伸びる、シトラスの香りはリラックスすることで柔軟性が向上する、という結果が得られた。
【０１３５】
この結果を応用し、精神面に作用する香料層１０を設けた鼻腔拡張器具１を発明した。鼻腔拡張器具１の香りとしてミントの香り、シトラスの香りを設定した。
【０１３６】
シトラスを付けた際の気分状態をＰＯＭＳ２短縮版アンケートによって測定したところ、「気分がリッラクスする」という結果が得られ、さらに、本人の実感と柔軟性の測定結果の間にも相関性があることが確認できた。
【０１３７】
また、ミントを付けた状態で脳の血液量を測定したところ、香りなしの鼻腔拡張器具１を付けている場合に比べて、前頭葉付近における血液量の増加が著しく観測された。
【０１３８】
これらの結果から、シトラスの香りは「リラックス効果」と、ミントの香りは「集中力向上効果」を有しており、それらは人の精神面を支持することで、スポーツ時の機動性を高めるものであることが検証された。
【０１３９】
７．結論
スポーツパフォーマンス測定を行った結果、シトラスの香りを嗅ぐことにより柔軟性が向上し、ミントの香りを嗅ぐことで集中力が向上することが検証された。これらの結果は、鼻腔拡張器具１の香りを嗅ぐと脳の血液量が増すという実験データや、本人の気分状態と機動性との間に相関があるというデータからも確認できており、シトラスの香りは「リラックス効果」を、ミントの香りは「集中力向上効果」を有しており、それらは人の精神面を支持することで、スポーツパフォーマンスを高めるものであることが検証された。
【０１４０】
鼻腔拡張器具１の香料層１０のシトラスの香りがもたらすリラクゼーション効果と、同ミントの香りがもたらす集中力向上効果を立証できた。
【０１４１】
鼻腔拡張器具１は呼吸を促すと共に香りの力で肉体面と精神面の両面を支持することができる。
【産業上の利用可能性】
【０１４２】
本発明によれば、鼻腔を拡げて鼻での呼吸を効率的に行いつつ、その呼吸と共に身体に有用な効果をもたらす香りを効率的に活用できる、肉体面と精神面の両面へ作用する鼻腔拡張器具を提供することができる。
【符号の説明】
【０１４３】
１      鼻腔拡張器具
２      内面部
３      皮膚貼着層
４      内面シート層
５      粘着層
６      芯部
７      表面部
８      表面シート層
９      着色料層
１０    香料層
１１    上辺
１２    上辺凹部
１３    下辺
１４    下辺凹部
１５    下辺膨らみ部
１６    横辺
１７    横辺凹部
１８    小凸部
１９    大凸部
４１    いびき防止器具
４２    シート
４３    シート
４４    突起
４５    芯材
４６    粘着層
５０    鼻腔拡張器
５１    剥離紙片
５２    周囲
５３    基板
５４    接着剤（粘着剤）層
５５    裏層
５６    接着剤（粘着剤）層
５７    弾性部材
５８    スプリング細片
５９    弾性スクリム
６０    接着剤（粘着剤）層
６１    芳香性薬剤
【図１】
2019122503.tif 000025
【図２】
2019122503.tif 000026
【図３】
2019122503.tif 000027
【図４】
2019122503.tif 000028
【図５】
2019122503.tif 000029
【図６】
2019122503.tif 000030
【図７】
2019122503.tif 000031
【図８】
2019122503.tif 000032
【図９】
2019122503.tif 000033
【図１０】
2019122503.tif 000034
【図１１】
2019122503.tif 000035
【図１２】
2019122503.tif 000036